【手続補正書】
【提出日】平成19年3月28日(2007.3.28)
【手続補正１】
【補正対象書類名】特許請求の範囲
【補正対象項目名】全文
【補正方法】変更
【補正の内容】
【特許請求の範囲】
【請求項１】
映像データを記録・再生する記録再生部と、
視聴者の操作によりスキップ再生指示入力を受け付けるスキップ操作部と、
前記スキップ操作部に入力された前記スキップ再生指示入力に基づいて入力時の再生時刻から予め定められた時間スキップした第１の時刻と、前記第１の時刻に予め定められた時間を加えた第２の時刻と、を算出する算出部と、
前記算出部が算出した前記第１の時刻に対応し、前記記録再生部により再生された映像データの第１のビデオ信号と、前記算出部が算出した前記第２の時刻に対応し、前記記録再生部により再生された映像データの第２のビデオ信号と、を出力する出力部とを備え、
前記出力部は、動画から構成される前記第１のビデオ信号を出力するとともに、静止画から構成される前記第２のビデオ信号を出力することを特徴とするビデオ信号再生装置。
【請求項２】
請求項１に記載のビデオ信号再生装置において、
前記ビデオ信号再生装置は、視聴者の操作により、出力された第１及び第２のビデオ信号のいずれかを選択指示入力を受け付ける選択操作部を備え、
前記第１の時刻から前記予め定めた時間内に、前記選択操作部がいずれかのビデオ信号を選択する選択指示入力を受け付けた場合、前記出力部は、選択されたビデオ信号を出力することを特徴とするビデオ信号再生装置。
【請求項３】
請求項２に記載のビデオ信号再生装置において、
前記第１の時刻から予め定めた時間内に、前記選択操作部がいずれかのビデオ信号を選択する選択指示入力を受け付けない場合、前記出力部は、前記第１のビデオ信号のみを出力することを特徴とするビデオ信号再生装置。
【請求項４】
請求項１に記載のビデオ信号再生装置において、
前記算出部は、前記第１の時刻に対して予め定めた時間前又は後の第２の時刻を算出することを特徴とするビデオ信号再生装置。
【請求項５】
請求項４に記載のビデオ信号再生装置において、
前記ビデオ信号再生装置は、視聴者の操作により、出力された第１及び第２のビデオ信号のいずれかを選択指示入力を受け付ける選択操作部を備え、
前記第１の時刻から前記予め定めた時間内に、前記選択操作部がいずれかのビデオ信号を選択する選択指示入力を受け付けた場合、前記出力部は、選択されたビデオ信号を出力することを特徴とするビデオ信号再生装置。
【請求項６】
請求項５に記載のビデオ信号再生装置において、
前記第１の時刻から予め定めた時間内に、前記選択操作部がいずれかのビデオ信号を選択する選択指示入力を受け付けない場合、前記出力部は、前記第１のビデオ信号のみを出力することを特徴とするビデオ信号再生装置。
【請求項７】
請求項１に記載のビデオ信号再生装置において、
前記算出部が算出した前記第２の時刻に対応する映像データが、前記記録再生部に記録されていない場合、前記出力部は、前記第２ビデオ信号を出力しないことを特徴とするビデオ信号再生装置。
【請求項８】
映像データを記録し、
視聴者の操作によりスキップ再生指示入力を受け付け、
入力された前記スキップ再生指示入力に基づいて入力時の再生時刻から予め定められた時間スキップした第１の時刻と、前記第１の時刻に予め定められた時間を加えた第２の時刻と、を算出し、
算出した前記第１の時刻に対応し、記録された映像データの動画から構成される第１のビデオ信号と、算出した前記第２の時刻に対応し、記録された映像データの静止画から構成される第２のビデオ信号と、を再生して出力することを備えるビデオ信号再生方法。
【手続補正２】
【補正対象書類名】明細書
【補正対象項目名】００２８
【補正方法】変更
【補正の内容】
【００２８】
デコーダ４は、ハードディスクドライブ３から出力されたＭＰＥＧデータにＭＰＥＧ方式の伸長処理を施し、伸長したビデオ信号をビデオ信号出力部５に出力する。デコーダ４は、ハードディスクドライブ３から入力されるＭＰＥＧデータを記憶するデコーダバッファメモリ４ａを備える。デコーダ４は、ハードディスクドライブ３から入力されたＭＰＥＧデータをデコーダバッファメモリ４ａに記憶し、記憶したＭＰＥＧデータに順次伸長処理を施す。伸長されたビデオ信号は、後述する制御部８の制御により、順次ビデオ信号出力部５に出力される。
【手続補正３】
【補正対象書類名】明細書
【補正対象項目名】００３７
【補正方法】変更
【補正の内容】
【００３７】
そして、制御部８は、最初に、ハードディスクドライブ３から第３スキップ時刻のビデオ信号が含まれる１ＧＯＰ（Group Of Picture）のＭＰＥＧデータからＩフレームのデータ（第３ＭＰＥＧデータ）を読み出してデコーダ４に出力し、デコーダ４において当該第３ＭＰＥＧデータをデコードし、デコードした第３ビデオ信号をビデオ信号出力部５の出力用バッファメモリ５ａに記憶する制御を行う。
【手続補正４】
【補正対象書類名】明細書
【補正対象項目名】００４５
【補正方法】変更
【補正の内容】
【００４５】
このように、制御部８は、通常再生時には、ハードディスクドライブ３から順次読み出したＭＰＥＧデータをデコーダ４によりデコードし、ビデオ信号出力部５からビデオ信号をディスプレイ９に出力するように制御する。また、制御部８は、操作部６からスキップ再生の指示信号の入力があった場合、ハードディスクドライブ３からスキップ先の時刻（第１スキップ時刻）に対し予め定めた時間経過した再生位置の時刻（第２スキップ時刻）と予め定めた時間前の再生位置の時刻（第３スキップ時刻）のＭＰＥＧデータのＩフレームのデータ（第２ＭＰＥＧデータ、第３ＭＰＥＧデータ）を読み出しデコードし、ビデオ信号出力部５の出力用バッファメモリ５ａに一時記憶し、そして、ハードディスクドライブ３から第１ＭＰＥＧデータから連続してＭＰＥＧデータを読み出しデコードし、ビデオ信号出力部５から第１ビデオ信号、第２ビデオ信号、第３ビデオ信号を合成した合成ビデオ信号をディスプレイ９に出力するように制御する。
【手続補正５】
【補正対象書類名】明細書
【補正対象項目名】００６１
【補正方法】変更
【補正の内容】
【００６１】
当該指示信号が第１ビデオ信号を選択し再生開始の指示である場合（ステップ３３においてＹＥＳ）、ステップ３０に移行し、ビデオ信号出力部５からの出力信号を合成ビデオ信号から第１ビデオ信号に切り替えディスプレイ９に第１ビデオ信号を出力し（ステップ３０）、出力用バッファメモリ５ａの第２ビデオ信号及び第３ビデオ信号のデータを消去し（ステップ３１）、ステップ２１に移行する。
【手続補正６】
【補正対象書類名】明細書
【補正対象項目名】００６２
【補正方法】変更
【補正の内容】
【００６２】
第１ビデオ信号の再生を開始した後、第１ビデオ信号の再生時刻が予め定めた時間を経過し、第１ビデオ信号の再生時刻が第２スキップ時刻に達するまでの間に、操作部６から指示信号の入力があり（ステップ２９においてＹＥＳ）、当該指示信号が第１ビデオ信号の選択・再生開始の指示ではなく（ステップ３３においてＮＯ）、第２ビデオ信号を選択し再生開始の指示である場合（ステップ３４）、デコーダ４のデコーダバッファメモリ４ａのデータを消去し（ステップ３５）、ハードディスクドライブ３から第２スキップ時刻から連続してＭＰＥＧデータを読み出しデコードし（ステップ３６）、デコードしたビデオ信号をビデオ信号出力部５からディスプレイ９に出力する（ステップ３７）。そして、ステップ２１に移行する。
【手続補正７】
【補正対象書類名】明細書
【補正対象項目名】００６３
【補正方法】変更
【補正の内容】
【００６３】
第１ビデオ信号の再生を開始した後、第１ビデオ信号の再生時刻が予め定めた時間を経過し、第１ビデオ信号の再生時刻が第２スキップ時刻に達するまでの間に、操作部６から指示信号の入力があり（ステップ２９においてＹＥＳ）、当該指示信号が第１ビデオ信号の選択・再生開始の指示ではなく（ステップ３３においてＮＯ）、また、第２ビデオ信号の選択・再生開始の指示ではない場合（ステップ３４）、当該指示信号は第３ビデオ信号を選択し再生開始の指示であるとして、デコーダ４のデコーダバッファメモリ４ａのデータを消去し（ステップ３８）、ハードディスクドライブ３から第３スキップ時刻から連続してＭＰＥＧデータを読み出しデコードし（ステップ３９）、デコードしたビデオ信号をビデオ信号出力部５からディスプレイ９に出力する（ステップ４０）。そして、ステップ２１に移行する。
【手続補正８】
【補正対象書類名】明細書
【補正対象項目名】００６９
【補正方法】変更
【補正の内容】
【００６９】
当該ハードディスクレコーダは、ビデオ信号入力部１、エンコーダ２、ハードディスクドライブ３、デコーダ４、操作部６及び表示部７は、前述した第１の実施例のハードディスクレコーダの各部の処理と同じであり、制御部８及びビデオ信号出力部５の動作が異なる。
【手続補正９】
【補正対象書類名】明細書
【補正対象項目名】００７７
【補正方法】変更
【補正の内容】
【００７７】
ビデオ信号の再生中に、視聴者が操作部６によりスキップ再生の操作をした場合の動作について説明する。
図５は、本発明のビデオ信号再生装置の第２の実施例におけるスキップ再生の指示から合成ビデオ信号の表示までの動作を示すフローチャートである。
図６は、本発明のビデオ信号再生装置の第２の実施例における合成ビデオ信号の表示以降の動作を示すフローチャートである。
【手続補正１０】
【補正対象書類名】明細書
【補正対象項目名】００８７
【補正方法】変更
【補正の内容】
【００８７】
合成ビデオ信号を表示した時刻から予め定めた時間経過するまでの間に、操作部６から指示信号の入力があり（ステップ４８においてＹＥＳ）、当該指示信号がスキップ再生の指示の場合でない場合、当該指示信号が第１ビデオ信号を選択し再生開始の指示であるか否かを判別する（ステップ５２）。当該指示信号が第１ビデオ信号を選択し再生開始の指示である場合、ハードディスクドライブ３から第１スキップ時刻から連続してＭＰＥＧデータを読み出しデコードし（ステップ４９）、ビデオ信号出力部５からディスプレイ９にビデオ信号を出力する（ステップ５０）、ステップ４１に移行する。
【手続補正１１】
【補正対象書類名】明細書
【補正対象項目名】００８８
【補正方法】変更
【補正の内容】
【００８８】
合成ビデオ信号を表示した時刻から予め定めた時間経過するまでの間に、操作部６から指示信号の入力があり（ステップ４８においてＹＥＳ）、当該指示信号がスキップ再生の指示の場合でなく（ステップ５１においてＮＯ）、第２ビデオ信号を選択し再生開始の指示である場合（ステップ５３）、ハードディスクドライブ３から第２スキップ時刻から連続してＭＰＥＧデータを読み出しデコードし（ステップ５４）、デコードしたビデオ信号をビデオ信号出力部５からディスプレイ９に出力する（ステップ５５）。そして、ステップ４１に移行する。
【手続補正１２】
【補正対象書類名】明細書
【補正対象項目名】００８９
【補正方法】変更
【補正の内容】
【００８９】
合成ビデオ信号を表示した時刻から予め定めた時間経過するまでの間に、操作部６から指示信号の入力があり（ステップ４８）、当該指示信号が第１ビデオ信号の選択・再生開始の指示ではなく（ステップ５２においてＮＯ）、また、第２ビデオ信号の選択・再生開始の指示ではない場合、当該指示信号は第３ビデオ信号を選択し再生開始の指示であるとして（ステップ５３）、ハードディスクドライブ３から第３スキップ時刻から連続してＭＰＥＧデータを読み出しデコードし（ステップ５６）、デコードしたビデオ信号をビデオ信号出力部５からディスプレイ９に出力する（ステップ５７）。そして、ステップ４１に移行する。
【手続補正１３】
【補正対象書類名】明細書
【補正対象項目名】０１２３
【補正方法】変更
【補正の内容】
【０１２３】
以上の動作により、図７（ｂ）から（ｅ）に示すように、ディスプレイ９には、スキップ先の映像（動画）と、スキップ先の時刻に対し予め定めた時間経過した時刻の映像（静止画）、又は、バックスキップ先の映像（動画）とバックスキップ先の時刻に対し予め定めた時間前の時刻の映像（静止画）とが同時に表示される。この映像により、スキップした先の位置が、視聴者が希望したスキップ位置であるか否かを判別しやすくなる。
【手続補正１４】
【補正対象書類名】明細書
【補正対象項目名】０１２７
【補正方法】変更
【補正の内容】
【０１２７】
ビデオ信号出力部５から第１ビデオ信号のみを出力するように切り替えた後、制御部８は、ビデオ信号出力部５の出力用バッファメモリ５ａに記憶している不要となった第２ビデオ信号のデータを消去する（ステップ７０）。この後、制御部８は、ステップ６０に戻り、操作部６から次のスキップキーの押下があるか否かを監視する。
【手続補正１５】
【補正対象書類名】明細書
【補正対象項目名】０１３１
【補正方法】変更
【補正の内容】
【０１３１】
第１ビデオ信号の再生を開始した後、第１ビデオ信号の再生時刻が予め定めた時間をするまでの間に、操作部６から指示信号の入力があり（ステップ６８においてＹＥＳ）、当該指示信号が第１ビデオ信号の選択・再生開始の指示ではなく（ステップ７２においてＮＯ）、第２ビデオ信号を選択し再生開始の指示である場合（ステップ７３）、デコーダ４のデコーダバッファメモリ４ａのデータを消去し（ステップ７４）、ハードディスクドライブ３から第２スキップ時刻（ＦＳ２）又は第２バックスキップ時刻（ＢＳ２）から連続してＭＰＥＧデータを読み出しデコードし（ステップ７５）、デコードしたビデオ信号をビデオ信号出力部５からディスプレイ９に出力する（ステップ７６）。そして、ステップ６０に移行する。
【手続補正１６】
【補正対象書類名】明細書
【補正対象項目名】０１３６
【補正方法】変更
【補正の内容】
【０１３６】
図１０（ａ）及び（ｂ）に示すように、視聴者が操作部６によりスキップ再生の操作が行われても、スキップ先の時刻から予め定めた時間（５秒）後の時刻に再生できるビデオ信号がない場合、スキップ先の時刻（第１スキップ時刻（ＦＳ１））のビデオ信号（第１ビデオ信号）のみが表示される。また、図１０（ｃ）、（ｄ）に示すように、バックスキップ再生の操作が行われても、バックスキップ先の時刻から予め定めた時間（５秒）前の時刻に再生できるビデオ信号がない場合、バックスキップ先の時刻（第１バックスキップ時刻（ＢＳ１））のビデオ信号（第１ビデオ信号）のみが表示される。
【手続補正１７】
【補正対象書類名】明細書
【補正対象項目名】０１４５
【補正方法】変更
【補正の内容】
【０１４５】
第４の実施例のビデオ信号再生装置は、ビデオ信号入力部１、エンコーダ２、ハードディスクドライブ３、デコーダ４、操作部６及び表示部７は、前述した実施例のビデオ信号再生装置の各部の処理と同じであり、制御部８のビデオ信号出力部５の動作が異なる。
【手続補正１８】
【補正対象書類名】明細書
【補正対象項目名】０１６４
【補正方法】変更
【補正の内容】
【０１６４】
当該指示信号が第１ビデオ信号を選択し再生開始の指示である場合（ステップ１０１においてＹＥＳ）、ハードディスクドライブ３から第１スキップ時刻（ＦＳ１）又は第１バックスキップ時刻（ＢＳ１）から連続してＭＰＥＧデータを読み出しデコードし（ステップ９８）、ビデオ信号出力部５からディスプレイ９にビデオ信号を出力する（ステップ９９）、図１２に示すステップ９０に移行する。
【手続補正１９】
【補正対象書類名】明細書
【補正対象項目名】０１６５
【補正方法】変更
【補正の内容】
【０１６５】
合成ビデオ信号を表示した時刻から予め定めた時間経過するまでの間に、操作部６から指示信号の入力があり（ステップ９７においてＹＥＳ）、当該指示信号がスキップ再生の指示又はバックスキップ再生の指示でなく（ステップ１００においてＮＯ）、また、第１ビデオ信号を選択する指示でなく（ステップ１０１においてＮＯ）、第２ビデオ信号を選択し再生開始の指示である場合（ステップ１０２においてＹＥＳ）、ハードディスクドライブ３から第２スキップ時刻から連続してＭＰＥＧデータを読み出しデコードし（ステップ１０３）、デコードしたビデオ信号をビデオ信号出力部５からディスプレイ９に出力する（ステップ１０４）。そして、図１２に示すステップ９０に移行する。
【手続補正２０】
【補正対象書類名】明細書
【補正対象項目名】０１７０
【補正方法】変更
【補正の内容】
【０１７０】
【図１】本発明のビデオ信号再生装置の第１の実施例の概略構成を示す図。
【図２】本実施例のハードディスクレコーダから出力される合成ビデオ信号を説明する図。
【図３】本実施例のハードディスクレコーダにおけるスキップ再生の指示から合成ビデオ信号の表示までの動作を示すフローチャート。
【図４】本実施例のハードディスクレコーダにおける合成ビデオ信号の表示以降の動作を示すフローチャート。
【図５】本発明のビデオ信号再生装置の第２の実施例におけるスキップ再生の指示から合成ビデオ信号の表示までの動作を示すフローチャート。
【図６】本発明のビデオ信号再生装置の第２の実施例における合成ビデオ信号の表示以降の動作を示すフローチャート。
【図７】本実施例のビデオ信号再生装置におけるスキップ再生時又はバックスキップ再生時の動作を説明する図。
【図８】本実施例のビデオ信号再生装置におけるスキップ再生又はバックスキップ再生の指示から合成ビデオ信号の表示までの動作を示すフローチャート。
【図９】本実施例のビデオ信号再生装置における合成ビデオ信号の表示以降の動作を示すフローチャート。
【図１０】スキップ先の映像に対し予め定めた時間後の時刻が再生中のビデオ信号の最後の時刻よりも後であった場合の動作と、バックスキップ先の映像に対し予め定めた時間前の時刻が再生中のビデオ信号の最初の時刻よりも前であった場合の本実施例のハードディスクレコーダから出力される合成ビデオ信号を説明する図。
【図１１】本実施例のビデオ信号再生装置におけるスキップ再生又はバックスキップ再生の動作を示すフローチャート。
【図１２】本発明のビデオ信号再生装置の第４の実施例におけるスキップ再生又はバックスキップ再生の指示から合成ビデオ信号の表示までの動作を示すフローチャートである。
【図１３】本発明のビデオ信号再生装置の第４の実施例における合成ビデオ信号の表示以降の動作を示すフローチャート。
【手続補正２１】
【補正対象書類名】図面
【補正対象項目名】図４
【補正方法】変更
【補正の内容】
【図４】
2005253039.tif 000001
【手続補正２２】
【補正対象書類名】図面
【補正対象項目名】図６
【補正方法】変更
【補正の内容】
【図６】
2005253039.tif 000002